(57)【要約】【課題】  紛失された着脱可能なメモリを所有者に容易に返却できるようにする。【解決手段】  不揮発性メモリ１０２のシステム領域４０１に、ＴＣＰ／ＩＰ通信ソフト４０４と表示用アプリケーションソフト４０５とパスワード認証アプリケーションソフト４０６等を記録しておく。所有者情報領域４０２には、所有者のＰＣのＩＰアドレス４０８とパスワード４０９と、名前４１０等の所有者情報を登録する。ＵＳＢメモリ１０１が拾得者のＰＣに装着され、誤ったパスワードが入力されると、当該ＰＣの表示部に所有者のＩＰアドレス等の所定の情報を表示用アプリケーションソフト４０５で表示する。当該ＰＣがネットワークに接続されているときには、ＴＣＰ／ＩＰ通信ソフト４０４が、登録された所有者のＩＰアドレス宛に当該ＰＣのＩＰアドレス等を送信する。【選択図】図8
2006350463.tif 000002
【特許請求の範囲】
【請求項１】
所有者のパスワードを含む所有者情報をセキュアな領域に登録した着脱可能なメモリであって、
装着された端末装置に、
前記端末装置に入力されたパスワードと前記登録されたパスワードとが一致するか否かを判定するパスワード判定ステップと、
前記パスワード判定ステップで一致すると判定されたとき、着脱可能なメモリの使用を許可し、一致しないと判定されたとき、着脱可能なメモリのユーザ領域の使用を禁止する使用許可禁止ステップと、
前記パスワード判定ステップで一致しないと判定されたとき、前記端末装置の表示画面に登録された所定の所有者情報を表示させる表示制御ステップとを実行させるためのプログラムを記録した着脱可能なメモリ。
【請求項２】
前記所有者情報には、所有者の端末装置のＩＰアドレスが含まれており、
装着された端末装置に
前記装着された端末装置のＩＰアドレスを取得し、前記登録されたＩＰアドレスと一致するか否かを判定するアドレス判定ステップと、
前記パスワード判定ステップで一致しないと判定され、かつ、前記アドレス判定ステップで一致しないと判定されたとき、前記装着された端末装置がネットワークに接続されているか否かを判定するネットワーク判定ステップと、
ネットワーク判定ステップで接続されていると判定されたとき、前記所有者の端末装置のＩＰアドレス宛に前記装着された端末装置のＩＰアドレスを送信する送信ステップとを実行させるためのプログラムを更に記録した請求項1記載の着脱可能なメモリ。
【請求項３】
前記パスワード判定ステップで一致しないと判定され、かつ、前記アドレス判定ステップで一致すると判定されたとき、前記使用許可禁止ステップでの使用禁止を使用許可にするパスワード誤り訂正ステップを更に実行させるためのプログラムを記録した請求項2記載の着脱可能なメモリ。
【請求項４】
前記所有者情報には、更に所有者の名前と、住所と、部署名と、着脱可能なメモリ紛失時の情報開示レベルとが登録されており、
前記表示制御ステップは、登録された情報開示レベルに応じて、所有者情報の所定の一部又は全部を表示させることを特徴とする請求項1記載の着脱可能なメモリ。
【請求項５】
使用機器の機種情報を取得し、使用機器の履歴情報を記録する機器情報記録ステップを実行するためのプログラムを更に記録し、
前記使用許可ステップにおいて使用が許可されているとき、前記機器情報記録ステップを実行して、履歴情報を前記所有者情報に含めて記録し、
前記表示制御ステップは、記録された使用機器の履歴情報を表示させることを特徴とする請求項4記載の着脱可能なメモリ。
【請求項６】
前記着脱可能なメモリは、ＵＳＢメモリであることを特徴とする請求項1乃至５いずれかに記載の着脱可能なメモリ。
【請求項７】
前記送信ステップで実行されるプログラムは、インスタントメッセンジャー（ｉｎｓｔａｎｔ  ｍｅｓｓｅｎｇｅｒ）ソフトであることを特徴とする請求項2記載の着脱可能なメモリ。
【請求項８】
前記送信ステップは、
装着された端末装置のコンピュータ名、使用者名、メーカ名、型式を取得する端末情報取得サブステップと、
取得された端末情報であるコンピュータ名、使用者名、メーカ名、型式を送信する端末情報送信サブステップとを有することを特徴とする請求項2記載の着脱可能なメモリ。
【発明の詳細な説明】
【技術分野】
【０００１】
本発明は、着脱可能なメモリに関し、特に着脱可能なメモリに記録された記録内容の安全を図る技術に関する。
【背景技術】
【０００２】
ポータブルなＵＳＢ（Ｕｎｉｖｅｒｓａｌ  Ｓｅｒｉａｌ  Ｂｕｓ）メモリ機器は、大量のデータを保存でき、パソコンのＵＳＢポートに直接接続するだけで、パソコンのリムーバブルディスクとして使用できるので、ここ数年で人気が高まっている。
ところが、ＵＳＢメモリは、小型であり、紛失する機会が多い。紛失により、第三者にそれを拾得され、ＵＳＢメモリに記録されたデータを悪用される場合も考えられる。
【０００３】
このため、ＵＳＢメモリに記録されたデータを第三者に読み出されることがないようにする技術が、例えば、非特許文献１に開示されている。
【非特許文献１】ＵＳＢフラッシュメモリ  ＲＵＦ−Ｃ２５６／Ｕ２  製品カタログ、（株）メルコ
【発明の開示】
【発明が解決しようとする課題】
【０００４】
しかし、上記従来の技術は、ＵＳＢメモリの特定領域にパスワードを登録しておき、入力されたパスワードと登録されたパスワードとが一致しないと、記録されたデータを読み出すことができないようにしているだけであり、紛失したＵＳＢメモリを本来の所有者に戻す手掛かりを提供するものではない。
そこで、本発明は、ＵＳＢメモリを紛失しても、その紛失したＵＳＢメモリのデータが読み出されようとした際、そのＵＳＢメモリを本来の所有者に戻す手掛かりを与えることのできるＵＳＢメモリを提供することを目的とする。
【課題を解決するための手段】
【０００５】
上記課題を解決するため、本発明は、所有者のパスワードを含む所有者情報をセキュアな領域に登録した着脱可能なメモリであって、装着された端末装置に、前記端末装置に入力されたパスワードと前記登録されたパスワードとが一致するか否かを判定するパスワード判定ステップと、前記パスワード判定ステップで一致すると判定されたとき、着脱可能なメモリの使用を許可し、一致しないと判定されたとき、着脱可能なメモリのユーザ領域の使用を禁止する使用許可禁止ステップと、前記パスワード判定ステップで一致しないと判定されたとき、前記端末装置の表示画面に登録された所定の所有者情報を表示させる表示制御ステップとを実行させるためのプログラムを記録することとしている。
【発明の効果】
【０００６】
上述のような構成によって、拾得された着脱可能なメモリを第三者の端末装置に装着し、記録されたデータを読み出すため誤ったパスワードが入力されると、当該端末装置の表示画面に着脱可能なメモリの所有者の所有者情報が表示されるので、第三者は、拾得した着脱可能なメモリを所有者に返却することができる。
また、前記所有者情報には、所有者の端末装置のＩＰアドレスが含まれており、装着された端末装置に前記装着された端末装置のＩＰアドレスを取得し、前記登録されたＩＰアドレスと一致するか否かを判定するアドレス判定ステップと、前記パスワード判定ステップで一致しないと判定され、かつ、前記アドレス判定ステップで一致しないと判定されたとき、前記装着された端末装置がネットワークに接続されているか否かを判定するネットワーク判定ステップと、
ネットワーク判定ステップで接続されていると判定されたとき、前記所有者の端末装置のＩＰアドレス宛に前記装着された端末装置のＩＰアドレスを送信する送信ステップとを実行させるためのプログラムを記録することとしている。
【０００７】
このような構成によって、所有者は、紛失した着脱可能なメモリの手掛かりを得ることができる。
また、前記パスワード判定ステップで一致しないと判定され、かつ、前記アドレス判定ステップで一致すると判定されたとき、前記使用許可禁止ステップでの使用禁止を使用許可にするパスワード誤り訂正ステップを更に実行させるためのプログラムを記録することとしている。
【０００８】
このような構成によって、着脱可能なメモリの所有者がパスワードを誤って入力しても、そのまま使用を継続することができるので、パスワードの入力をし直す不便さが解消される。
また、前記所有者情報には、更に所有者の名前と、住所と、部署名と、着脱可能なメモリ紛失時の情報開示レベルとが登録されており、前記表示制御ステップは、登録された情報開示レベルに応じて、所有者情報の所定の一部又は全部を表示させるためのプログラムを記録することとしている。
【０００９】
このような構成によって、着脱可能なメモリの所有者は、自身の個人情報（所有者情報）の開示範囲を設定し、着脱可能なメモリの所有者情報を着脱可能なメモリを拾得した第三者に提示し、返還を可能とする。
また、使用機器の機種情報を取得し、使用機器の履歴情報を記録する機器情報記録ステップを実行するためのプログラムを更に記録し、前記使用許可ステップにおいて使用が許可されているとき、前記機器情報記録ステップを実行して、履歴情報を前記所有者情報に含めて記録し、前記表示制御ステップは、記録された使用機器の履歴情報を表示させるためのプログラムを記録することとしている。
【００１０】
このような構成によって、着脱可能なメモリが使用されていた機器情報を第三者に提示することにより、更に所有者の特定が可能となる。
また、前記着脱可能なメモリは、ＵＳＢメモリであることとしている。
このような構成によって、ＵＳＢメモリのセキュリティを維持しながら、紛失しても、所有者に返還される可能性を高めることができる。
【００１１】
また、前記送信ステップで実行されるプログラムは、インスタントメッセンジャー（ｉｎｓｔａｎｔ  ｍｅｓｓｅｎｇｅｒ）ソフトであることとしている。
このような構成によって、拾得者の所在を容易に所有者に知らせることができる。
また、前記送信ステップは、装着された端末装置のコンピュータ名、使用者名、メーカ名、型式を取得する端末情報取得サブステップと、取得された端末情報であるコンピュータ名、使用者名、メーカ名、型式を送信する端末情報送信サブステップとを有することとしている。
【００１２】
このような構成によって、着脱可能なメモリを拾得した第三者を特定するための情報を所有者が得ることができる。
【発明を実施するための最良の形態】
【００１３】
以下、本発明に係る着脱可能なメモリの実施の形態について図面を用いて説明する。
（一実施の形態）
図１は、本発明に係る着脱可能なメモリ（以下「ＵＳＢメモリ」という）の一例を示す外観図である。ＵＳＢメモリ１０１は、その内部に設けられた不揮発性メモリ（例えばフラッシュメモリ）１０２と、ＵＳＢ端子１０３とからなる。
【００１４】
図２は、ＵＳＢメモリ１０１が装着される端末装置であるパーソナルコンピュータ（ＰＣ）の一例を示す外観図である。ＰＣ２０１は、液晶ディスプレイ等からなる表示部２０２と、入力操作部を構成するキーボード２０３とマウス２０４と、ＵＳＢポート２０５とを備えている。
図３に示すように、ＰＣ２０１の本体側面に設けられたＵＳＢポート２０５にＵＳＢメモリ１０１のＵＳＢ端子１０３を装着し、ＵＳＢメモリ１０１の不揮発性メモリ１０２をＰＣ２０１の記憶領域の一部としての使用が可能となる。
【００１５】
このため、ＰＣ２０１がネットワークに接続されている場合においては、不揮発性メモリ１０２に、ネットワークを介して、各種データを記録したり、読み出して送信したりすることができる。
図４は、不揮発性メモリのメモリマップの一例を示す図である。
不揮発性メモリ１０２は、システム領域４０１と、所有者情報領域４０２と、ユーザ領域４０３との各領域からなる。
【００１６】
システム領域４０１は、この不揮発性メモリ１０２の製造工程で記録される領域であり、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）通信ソフト４０４と、表示用アプリケーションソフト４０５と、パスワード認証アプリケーションソフト４０６と、ＭＦＰ（Ｍｕｌｔｉｐｌｅ−Ｆｕｎｃｔｉｏｎ−Ｐｅｒｉｐｈｅｒａｌ）／プリンタ機種情報取得アプリケーションソフト４０７とを記憶している。
【００１７】
ＴＣＰ／ＩＰ通信ソフト４０４は、例えば、インスタントメッセンジャー（Ｉｎｓｔａｎｔ  ｍｅｓｓｅｎｇｅｒ）ソフトで実現され、パスワード認証アプリケーションソフト４０６の実行によって起動されると、ＵＳＢメモリ１０１が装着されているＰＣの所定の情報、例えばＩＰアドレスやコンピュータ名等、ＰＣのＯＳ（Ｏｐｅｒａｔｉｎｇ  Ｓｙｓｔｅｍ）上の“システム”の“プロパティ”で表示される「システム名」、「使用者名」、「コンピュータメーカ名」、「型式」等を取得し、後述する所有者情報領域４０２に登録されたＩＰアドレス宛送信する。ＴＣＰ／ＩＰ通信ソフト４０４は、正常に通信されるまで、繰り返し所定の情報を登録されたＩＰアドレス宛送信する。通信が確立されると、ＵＳＢメモリ１０１の所有者自身のＰＣ２０１の表示部２０２には、紛失したＵＳＢメモリ１０１が装着されているＰＣの所定の情報が表示される。
【００１８】
表示用アプリケーションソフト４０５は、パスワード認証アプリケーションソフト４０６の実行により、ＵＳＢメモリ１０１がＵＳＢメモリ１０１の所有者のＰＣ２０１に装着されずに他のＰＣに装着されていると判定されたとき、起動される。表示用アプリケーションソフト４０５は、当該ＰＣの表示部に「パスワードが異なりＵＳＢメモリ１０１が使用不可である旨」を表示する。併せて、後述する所有者情報領域４０２に登録された紛失時の開示情報ビットに応じて、所有者情報のＩＰアドレスや名前等を表示部に表示し、ＵＳＢメモリ１０１の所有者の存在を拾得者に知らせる。
【００１９】
パスワード認証アプリケーションソフト４０７は、キーボード２０３から入力されたパスワードと後述する所有者情報領域４０２に登録されているＵＳＢメモリ１０１の所有者のパスワードとが一致するか否かを判定する。一致していると判定すると、ユーザ領域４０３に記録されているデータの読み出しや、データの書き込みを許可するとともに、後述する所有者情報領域４０２に使用するＭＦＰ／プリンタの使用履歴情報を記録するため、ＭＦＰ／プリンタ機種情報取得アプリケーションソフト４０７を起動する。
【００２０】
パスワード認証アプリケーションソフト４０７は、入力されたパスワードと所有者のパスワードとが一致しないとき、ＵＳＢメモリ１０１の装着されているＰＣのＩＰアドレスを取得し、所有者情報領域４０２に登録されている所有者のＰＣ２０１のＩＰアドレスと照合する。ＩＰアドレスが一致すると、パスワードの入力を誤ったものとして、上述のパスワードが一致したときと、同様の取り扱いをする。
【００２１】
ＩＰアドレスが一致しないときには、表示用アプリケーションソフト４０５を起動する。更に、ＵＳＢメモリ１０１の装着されているＰＣがインターネットに接続されているか否かを判断する。接続されていないと判断すると処理を終了させる。
パスワード認証アプリケーションソフト４０７は、ＵＳＢメモリ１０１の装着されているＰＣがインターネットに接続されていると判断すると、ＴＣＰ／ＩＰ通信ソフト４０４を起動する。
【００２２】
ＭＦＰ／プリンタ機種情報取得アプリケーションソフト４０７は、ＰＣ２０１が接続されているＭＦＰ又はプリンタの機種情報を取得し、所有者情報領域４０２にＭＦＰ／プリンタ機種情報を登録するとともに、その使用履歴情報（ログ）を記録する。
不揮発性メモリ１０２の所有者情報領域４０２には、所有者情報であるＩＰアドレス４０８とパスワード４０９と紛失時の開示情報ビット４１０と名前４１１と住所４１２と部署名４１３とＭＦＰ／プリンタ機種情報４１４と時刻／使用履歴情報（ログ）４１５とが登録または記録される。
【００２３】
ＩＰアドレス４０８は、ＵＳＢメモリ１０２の所有者のＰＣ２０１のインターネット上のアドレスであり、ユーザである所有者によって、登録される。
パスワード４０９は、ＵＳＢメモリ１０２のユーザ領域４０３に記録されたデータを保護するため、ＵＳＢメモリ１０２の所有者が予め登録し、使用にあたり、本人を認証するため入力されるパスワードと照合される。
【００２４】
紛失時の開示情報ビット４１０は、ＵＳＢメモリ１０２が紛失されたとき、第三者に拾得され、ＵＳＢメモリ１０２がＰＣに装着され、誤ったパスワードが入力されたとき、第三者のＰＣの表示部に表示するＵＳＢメモリ１０２の所有者情報の開示レベルを示している。この開示レベルも所有者によって、予め登録される。
例えば、情報開示レベル１はＩＰアドレス４０８であり、情報開示レベル２は名前４１１／住所４１２／部署名４１３であり、情報開示レベル３はＭＦＰ／プリンタの機種情報４１４と時刻／使用履歴情報４１５である。なお、情報開示レベルの選択組み合わせは自由とする。例えば、情報開示レベル１、２、３を組み合わせると、所有者情報のうちパスワード４０９以外が開示されることになる。なお、開示無しを選択することも可能であるが、これによって、不用意な個人情報の流出を防ぐことができるが、第三者に紛失したＵＳＢメモリ１０１の所有者に連絡する手掛かりを与えないことになる。
【００２５】
名前４１１、住所４１２、部署名４１３は、ＵＳＢメモリ１０１の所有者を識別するために、それぞれ登録される。
ＭＦＰ／プリンタ機種情報４１４は、ＵＳＢメモリ１０１がＰＣ２０１に装着され、ＭＦＰ又はプリンタでデータを記録したとき、ＭＦＰ／プリンタ機種情報取得アプリケーションソフト４０７によって、ＭＦＰ等の機種情報が取得され登録される。
【００２６】
時刻／使用履歴情報（ログ）４１５は、上述のＭＦＰ又はプリンタが使用されたとき、その使用時刻とその使用履歴とがＭＦＰ／プリンタ機種情報取得アプリケーションソフト４０７によって記録される。
なお、この所有者情報領域４０２は、セキュアな領域であり、システム領域４０１に記録された各ソフト４０４−４０７以外によって読み出されることはない。
【００２７】
ユーザ領域４０３には、ＰＣ２０１の外部記憶部材としてのデータが記録される。
次に、本実施の形態の動作をフローチャートを用いて説明する。
図５は、ＵＳＢメモリ１０１の製造時の動作を説明するフローチャートである。
先ず、ＵＳＢメモリ１０１をＰＣへ装着する（Ｓ５０２）。
ＰＣは、ＵＳＢメモリ１０１のシステム領域４０１にデータが記録されていないことを確認し（Ｓ５０４）、ＴＣＰ／ＩＰ通信ソフト４０４をシステム領域４０１に書き込む（Ｓ５０６）。システム領域４０１にデータが記録されていると、処理を終了する。
【００２８】
次にＰＣは、表示用アプリケーションソフト４０５を書き込み（Ｓ５０８）、パスワード認証用アプリケーションソフト４０６を書き込み（Ｓ５１０）、ＭＦＰ／プリンタ機種情報取得アプリケーションソフト４０７を書き込み（Ｓ５１２）、処理を終了する。
図６は、ＵＳＢメモリ１０１の所有者が不揮発性メモリ１０２の所有者情報領域４０２に所有者情報を登録する動作を説明するフローチャートである。
【００２９】
所有者は、先ずＵＳＢメモリ１０１のＵＳＢ端子１０３をＰＣ２０１のＵＳＢポート２０５に装着し、ＩＰアドレスと、パスワードとをキーボード２０３を用いて入力する。ＰＣ２０１は、所有者情報領域４０２に、ＩＰアドレス４０８とパスワード４０９とを登録する（Ｓ６０２）。同様にＰＣ２０１は、名前４１１と住所４１２と部署名４１３との入力を受け付け、所有者情報領域４１２にそれぞれ登録する（Ｓ６０４）。
【００３０】
次に、所有者は、ＵＳＢメモリ１０１の紛失時の情報開示レベルを入力し、ＰＣ２０１は、所有者情報領域４０２に紛失時の開示情報ビット４１０として登録する（Ｓ６０６）。
図７と図８は、ＵＳＢメモリ１０１がＰＣの外部メモリとして使用される際の動作を説明するフローチャートである。
【００３１】
先ず、ＵＳＢメモリ１０１がＰＣに装着される（Ｓ７０２）。
パスワード認証アプリケーションソフト４０６は、ＰＣから入力されたパスワードと登録されたパスワード４０９とが一致するか否か認証する（Ｓ７０４）。
一致したときは、ＵＳＢメモリ１０１の所有者の使用であると解され、ＵＳＢメモリ１０１の通常利用が許可され、一致しなければ、ユーザ領域４０３の使用が禁止される（Ｓ７０６）。ＵＳＢメモリ１０１が継続使用されるか否かＰＣのＣＰＵによって判断され（Ｓ７０８）、使用されるときには、ＭＦＰ／プリンタ機種情報取得アプリケーションソフト４０７が起動され、ＰＣに接続されているＭＦＰ又はプリンタの使用情況が確認される（Ｓ７１０）。接続されているときには、ＭＦＰ等の機種情報が取得され、接続されたＭＦＰ又はプリンタの使用の有無が判定され（Ｓ７１２）、使用されていなければ、Ｓ７０６に戻り、使用されていれば、ＵＳＢメモリ１０１の所有者情報領域４０２にＭＦＰ／プリンタ機種情報４１４が登録され、時刻／使用履歴情報（ログ）４１５が書き込まれ（Ｓ７１４）、Ｓ７０６に戻る。
【００３２】
Ｓ７０８において、ＵＳＢメモリ１０１の使用が継続されないと判定されたときには、ＵＳＢメモリの使用停止処理が行なわれ（Ｓ７１６）、処理を終了する。
Ｓ７０４において、パスワード認証アプリケーションソフト４０６が一致しないと判定したときは、ＰＣ内に記憶されているＩＰアドレスを読み出し（Ｓ７１８）、ＵＳＢメモリ１０１に登録されているＩＰアドレスと照合する（Ｓ７２０）。一致するときには、パスワードの入力を誤ったものであり、パスワードが一致したとしてＳ７０６に移る。
【００３３】
一致しないと判定されたときは、表示用アプリケーションソフト４０５が起動され、ＵＳＢメモリ１０１の装着されたＰＣの表示部にＵＳＢメモリ１０１が使用不可であることを表示する（Ｓ８０２）。
次に、表示用アプリケーションソフト４０６は、所有者情報領域４０２に登録された紛失時の開示情報ビット４１０を読み出す（Ｓ８０４）。開示レベルが「１」、「２」、「３」のいずれであるか、または、「１」、「２」、「３」のいずれの組み合わせかを判定する（Ｓ８０６）。
【００３４】
開示レベルが「１」のとき、登録されたＩＰアドレス４０８を表示部に表示する（Ｓ８０８）。図９は、表示部に表示された表示画面を示す。表示画面９０１には、「ＵＳＢメモリの使用不可」９０２と「ＵＳＢメモリの所有者のＩＰアドレス」９０３等が表示される。これによって、ＵＳＢメモリ１０１の拾得者は、ＵＳＢメモリの所有者に連絡することができる。
【００３５】
開示レベルが「２」のとき、登録された名前４１１、住所４１２、部署名４１３とを表示部に表示させる（Ｓ８１２）。開示レベルが「３」のときには、登録されたＭＦＰ／プリンタ機種情報や記録された時刻／使用履歴情報を表示部に表示させる（Ｓ８１４）。
次に、パスワード認証アプリケーションソフト４０６は、ＵＳＢメモリ１０１が装着されたＰＣがネットワークに接続されているか否かを判定し（Ｓ８１６）、接続されていなければ、処理を終了し、接続されていれば、ＴＣＰ／ＩＰ通信ソフト４０４を起動する（Ｓ８１８）。
【００３６】
ＴＣＰ／ＩＰ通信ソフト４０４は、装着されているＰＣのＯＳの「システム名」、ＰＣの「所有者名」、ＰＣの「メーカ名」、「型式」等の所定の情報を取得する。ＴＣＰ／ＩＰ通信ソフト４０４は、パスワード認証アプリケーションソフト４０６が取得しているＰＣのＩＰアドレスとともに、ＰＣの所定の情報をＵＳＢメモリ１０１に登録されたＩＰアドレス４０８宛送信する（Ｓ８２０）。
【００３７】
ＴＣＰ／ＩＰ通信ソフト４０４は、この動作を通信が確立されるまで行なう（Ｓ８２２）。
ＵＳＢメモリ１０１の所有者のＰＣ２０１は、この所定の情報を受信し、表示部２０２に表示し（Ｓ８２４）、処理を終了する。
図１０は、ＰＣ２０１の表示部２０２に表示される表示画面の一例を示す図である。表示画面１００１には、ＵＳＢメモリ１０１の拾得者のＩＰアドレス１００２とその名前１００３とが表示される。
【００３８】
ＵＳＢメモリ１０１の所有者は、紛失したＵＳＢメモリ１０１の所在をこれによって知ることができる。
なお、上記実施の形態では、着脱可能なメモリをＵＳＢメモリとして説明したけれども、ＰＣのカードスロットに装着できるＰＣカードであれば、他のフラッシュメモリカード、モデムカード、ＳＣＳＩカード、イーサネット（登録商標）カード等にも適用できるのは勿論である。
【００３９】
また、上記実施の形態では、ＵＳＢメモリ１０１の拾得者がＰＣにＵＳＢメモリを装着するものとして説明したが、ＵＳＢメモリをＭＦＰやプリンタに直接装着して使用する場合にも適用することができる。パスワードが一致しない場合には、ＭＦＰやプリンタの表示部にＵＳＢメモリ１０１の所定の所有者情報を表示することができるし、使用されるＭＦＰやプリンタのＩＰアドレスが所有者のＰＣ２０１にネットワークを介して送信される。勿論、ＵＳＢメモリ１０１のユーザ領域４０３のデータを読み出すことは禁止される。
【００４０】
また、上記実施の形態では、ＵＳＢメモリ１０１を所有者が紛失した場合について説明したけれども、盗難された場合も同様である。
【産業上の利用可能性】
【００４１】
本発明に係る着脱可能なメモリは、ＰＣその他の端末装置の外部メモリとして、安全な使用が保証されることから、情報産業分野で活用される。
【図面の簡単な説明】
【００４２】
【図１】本発明に係る着脱可能なメモリの一実施の形態の外観図である。
【図２】上記実施の形態のＵＳＢメモリが利用される汎用的なパーソナルコンピュータ（ＰＣ）の外観図である。
【図３】図２に示したＰＣに設けられたＵＳＢポートを示す図である。
【図４】上記実施の形態の不揮発性メモリのメモリマップを示す図である。
【図５】上記実施の形態の不揮発性メモリのシステム領域にプログラムを記録する動作を説明するフローチャートである。
【図６】上記実施の形態の不揮発性メモリの所有者情報領域にユーザが所有者情報を登録する動作を説明するフローチャートである。
【図７】上記実施の形態の不揮発性メモリのユーザ領域に記録されたデータのセキュリティ確保のための動作を説明するフローチャート（その１）である。
【図８】上記実施の形態の不揮発性メモリのユーザ領域に記録されたデータのセキュリティ確保のための動作を説明するフローチャート（その２）である。
【図９】上記実施の形態のＵＳＢメモリの拾得者のＰＣの表示部に表示される表示画面の一例である。
【図１０】上記実施の形態のＵＳＢメモリを紛失した所有者のＰＣの表示部に表示される表示画面の一例である。
【符号の説明】
【００４３】
１０１  ＵＳＢメモリ
１０２  不揮発性メモリ
１０３  ＵＳＢ端子
２０１  ＰＣ
２０２  表示部
２０３  キーボード
２０４  マウス
２０５  ＵＳＢポート
４０１  システム領域
４０２  所有者情報領域
４０３  ユーザ領域
４０４  ＴＣＰ／ＩＰ通信ソフト
４０５  表示用アプリケーションソフト
４０６  パスワード認証アプリケーションソフト
４０７  ＭＦＰ／プリンタ機種情報取得アプリケーションソフト
４０８  ＩＰアドレス
４０９  パスワード
４１０  紛失時の開示情報ビット
４１１  名前
４１２  住所
４１３  部署名
４１４  ＭＦＰ／プリンタ機種情報
４１５  時刻／使用履歴情報（ログ）
【図１】
2006350463.tif 000003
【図２】
2006350463.tif 000004
【図３】
2006350463.tif 000005
【図４】
2006350463.tif 000006
【図５】
2006350463.tif 000007
【図６】
2006350463.tif 000008
【図７】
2006350463.tif 000009
【図８】
2006350463.tif 000010
【図９】
2006350463.tif 000011
【図１０】
2006350463.tif 000012